(57)【要約】【課題】軸状体を備えた排水装置の排水口に用いられる目皿部材において、排水装置の分解などを行わなくても目皿部材を着脱することが可能で、且つ安価で部材紛失の危険が少ない目皿部材を提供する。【解決手段】軸状体を備えた槽体の排水口に装着される、排水から塵芥を分離するための目皿部材において、目皿部材を、適度な弾性を有する硬質素材によって一体に構成されてなり、排水を通水し、塵芥を捕集する通水部と、軸状体を収納する貫通孔と、通水部の外側面から、少なくとも貫通孔まで設けられた切り欠き部と、該切り欠き部によって分割された通水部間を接続する折り曲げ可能な接続部を備えてなる拡開部と、から構成する。【選択図】  図７
2008196170.tif 000002
【特許請求の範囲】
【請求項１】
軸状体を備えた槽体の排水口に装着される、排水から塵芥を分離するための目皿部材であって、
適度な弾性を有する硬質素材によって一体に構成されてなり、
目皿部材（１）には排水を通水し、塵芥を捕集する通水部（２）と、
軸状体を収納する貫通孔（３）と、
通水部（２）の外側面から、少なくとも貫通孔（３）まで設けられた切り欠き部（４）と、
該切り欠き部（４）によって分割された通水部（２）間を接続する折り曲げ可能な接続部（６）を備えてなる拡開部（５）と、
からなる目皿部材。
【請求項２】
上記目皿部材において、
接続部（６）に沿って、目皿部材（１）の通水面を折り曲げるようにして、
切り欠き部（４）を拡開させることを特徴とする、請求項１に記載の目皿部材。
【請求項３】
上記目皿部材において、
平面視接続部（６）の幅が軸状体の幅よりも幅狭であって、
且つ弾性を利用して接続部（６）を折り曲げた後、更に切り欠き部（４）に平面視開き角度を設けることで、
切り欠き部（４）の開口端を軸状体よりも幅広とすることを特徴とする請求項２に記載の目皿部材。
【請求項４】
上記目皿部材において、
接続部（６）が貫通孔（３）の内周縁に接するように備えられ、
切り欠き部（４）が、貫通孔（３）から見て、接続部（６）の延長線と切り欠き部（４）の延長線とが切り欠き部（４）の開口の反対側で鋭角に公差するような位置に設けられたこ
とを特徴とする、請求項２に記載の目皿部材。
【請求項５】
上記目皿部材において、
接続部（６）が、貫通孔（３）の外縁に接するように備えられ、
切り欠き部（４）が、接続部（６）に平行で、且つ貫通孔（３）の中心を挟んで接続部（６）とは対向する位置の外縁に接する位置に設けられたことを特徴とする、請求項２
に記載の目皿部材。
【請求項６】
上記目皿部材において、
拡開部（５）を、一定の幅を有する通水部（２）である渡り部分（７）と、
渡り部分（７）の少なくとも両端に設けられた複数の接続部（６）より構成したことを特徴とする、請求項２に記載の目皿部材。
【請求項７】
上記目皿部材において、
渡り部分（７）の幅を軸状体と同じか、それ以上の幅に構成すると共に、更に渡り部分（７）の両端に設けられた接続部（６）の延長線が平行か、または貫通孔（３）から見
て切り欠き部（４）の開口の反対側で鋭角に公差するような位置に設けたことを特徴とする、請求項６に記載の目皿部材。
【請求項８】
上記目皿部材において、
接続部（６）を軸状体の軸方向に突出させ、
接続部（６）の長さの合計が、平面視における軸状体の幅よりも長いことを特徴とする請求項２に記載の目皿部材。
【請求項９】
上記目皿部材において、
平面視接続部（６）を中心として水平方向に折り曲げることで、
切り欠き部（４）を拡開させることを特徴とする、請求項１に記載の目皿部材。
【請求項１０】
上記目皿部材において、
拡開部（５）を、
該切り欠き部（４）によって分割された目皿部材（１）同士を接続する接続部（６）、
取り付け時軸状体の周囲に配置される内周部（８）、
取り付け時排水口の内周面に接する外周部（９）、
接続部（６）と内周部（８）を連結する連結部（１０）、
排水を通水し塵芥を捕集する通水部（２）、
接続部（６）、内周部（８）、外周部（９）、連結部（１０）、通水部（２）のいずれかからのみ突出し、他の部分に接続されないリブ片（１１）、
から構成したことを特徴とする、請求項９に記載の目皿部材。
【請求項１１】
目皿部材の排水口への取り付け時、
平面視における切り欠き部（４）の幅が、通水部（２）の通水用の開口の幅と同等か、それ以下の幅であることを特徴とする、上記請求項１乃至請求項１０のいずれか１つに
記載の目皿部材。
【請求項１２】
軸状体が排水装置の排水管であることを特徴とする、上記請求項１乃至請求項１１のいずれか１つに記載の目皿部材。
【請求項１３】
軸状体が遠隔操作式排水栓装置に用いられる弁体（１９）の支持軸（１９ａ）であることを特徴とする、上記請求項１乃至請求項１１のいずれか１つに記載の目皿部材。
【発明の詳細な説明】
【技術分野】
【０００１】
本発明は洗面台、流し台、手洗い器等の槽体の排水口に用いられる目皿部材に関する物である。
【背景技術】
【０００２】
従来、洗面台、流し台、手洗い器等の槽体の排水を排出するため設けられた排水口には、排水中の塵芥を、排水と分離するため目皿部材が備えられる場合がある。その従来例
を、図面を参照しつつ説明する。
図４４及び図４５に示した目皿部材は、排水機器である洗濯機の防水パンに備えられる排水装置である、図４１乃至図４３に示した排水トラップの排水口に備えられる部材で
あって、排水口に嵌合する外周部と、排水から塵芥を分離するリブ体を備えた通水部と、から構成されてなる。
洗濯機から排水が溢れるなどして、塵芥を含んだ排水が排水口に流れ込む場合、排水は排水口に備えられた目皿部材の通水部のリブ体同士の隙間から下水側に排出されつつ、
管詰まりの原因になる程度の大きな塵芥はリブ体同士の隙間を通過することができず、捕捉されて排水から分離される。
そして、ある程度排水が行われて、目皿部材上に塵芥が蓄積すれば、目皿部材を排水口から取り外し、清掃して塵芥を処理する。その後、目皿部材を排水口に戻せば再び好適
に使用することができる。
【０００３】
【特許文献１】実開昭６０−６４７８５号公報
【発明の開示】
【発明が解決しようとする課題】
【０００４】
ところで、従来から排水口の内部に管体や支持軸など、軸状体を備えた排水装置が見られる場合がある。例えば、図４１乃至図４５に示した、特許文献１の特許公報にて公知
の従来例では、軸状体として排水口に洗濯機からの排水を導く泡止め用排水管が備えられ、この泡止め用排水管が、排水トラップの排水口に接続されている。この従来例では
、泡止め用排水管は目皿部材を貫通するように備えられており、泡止め用排水管を引き抜くことで、目皿部材を排水口から取り出すことができる。しかし、実際には排水トラ
ップの分解作業は繁雑で、また再度組み直すときに正しくセットできない場合や、排水口上に洗濯機などの排水機器が配置されて、泡止め用排水管を引き抜くと行った分解作
業が実施できない場合があり、清掃性は着脱自在な目皿部材よりも悪化している。
【０００５】
また、特開２００１−１５２５０５号の特許公報にて公知の従来例では、排水口に遠隔操作式排水栓が採用されており、排水口内には軸状体として、排水口を閉塞する弁体の
支持軸が配置されている。このような場合、目皿部材は、支持軸の周囲に成型によって備えられ、支持軸から分離することは不可能になっている。このため、支持軸が清掃の
障害となり、目皿部材の清掃性は、支持軸に取り付けられていない目皿部材よりも悪化している。
【０００６】
また、特登３７７２３４７号の特許公報にて公知の従来例では、目皿部材を複数の部材から構築し、分解することで、排水装置の排水口から排水管を引き抜くなど排水装置を
分解することなく目皿部材のみを軸状体である泡止め用排水管から取り外すことが可能となっている。
しかし、この方法では目皿部材を複数の部材から構成するため、部材管理の手間や部材の製造コストが増加するといった生産上の問題や、部材が複数に分割するため実際の使
用において微細な部材（例えば特登３７７２３４７号におけるオス部材等）を紛失してしまう、といった問題がある。
【０００７】
本発明は、上記の課題に鑑みて成されたものであり、その目的とする処は、軸状体を備えた排水装置の排水口に用いられる目皿部材において、排水装置の分解などを行わなく
ても目皿部材を着脱することが可能で、且つ安価で部材紛失の危険が少ない目皿部材を提供することである。
【課題を解決するための手段】
【０００８】
請求項１に記載の本発明は、軸状体を備えた槽体の排水口に装着される、排水から塵芥を分離するための目皿部材であって、
適度な弾性を有する硬質素材によって一体に構成されてなり、目皿部材（１）には排水を通水し、塵芥を捕集する通水部（２）と、軸状体を収納する貫通孔（３）と、通水部
（２）の外側面から、少なくとも貫通孔（３）まで設けられた切り欠き部（４）と、該切り欠き部（４）によって分割された通水部（２）間を接続する折り曲げ可能な接続部
（６）を備えてなる拡開部（５）と、からなる目皿部材である。
を特徴とする目皿部材である。
【０００９】
請求項２に記載の本発明は、上記目皿部材において、接続部（６）に沿って、目皿部材（１）の通水面を折り曲げるようにして、切り欠き部（４）を拡開させることを特徴と
する、段落０００８に記載の目皿部材である。
【００１０】
請求項３に記載の本発明は、上記目皿部材において、平面視接続部（６）の幅が軸状体の幅よりも幅狭であって、且つ弾性を利用して接続部（６）を折り曲げた後、更に切り
欠き部（４）に平面視開き角度を設けることで、切り欠き部（４）の開口端を軸状体よりも幅広とすることを特徴とする段落０００９に記載の目皿部材である。
【００１１】
請求項４に記載の本発明は、上記目皿部材において、接続部（６）が貫通孔（３）の内周縁に接するように備えられ、切り欠き部（４）が、貫通孔（３）から見て、接続部（
６）の延長線と切り欠き部（４）の延長線とが切り欠き部（４）の開口の反対側で鋭角に公差するような位置に設けられたことを特徴とする、段落０００９に記載の目皿部材である
。
【００１２】
請求項５に記載の本発明は、上記目皿部材において、接続部（６）が、貫通孔（３）の外縁に接するように備えられ、切り欠き部（４）が、接続部（６）に平行で、且つ貫通
孔（３）の中心を挟んで接続部（６）とは対向する位置の外縁に接する位置に設けられたことを特徴とする、段落０００９に記載の目皿部材である。
【００１３】
請求項６に記載の本発明は、上記目皿部材において、拡開部（５）を、一定の幅を有する通水部（２）である渡り部分（７）と、渡り部分（７）の少なくとも両端に設けられ
た複数の接続部（６）より構成したことを特徴とする、段落０００９に記載の目皿部材である。
【００１４】
請求項７に記載の本発明は、上記目皿部材において、渡り部分（７）の幅を軸状体と同じか、それ以上の幅に構成すると共に、更に渡り部分（７）の両端に設けられた接続部
（６）の延長線が平行か、または貫通孔（３）から見て切り欠き部（４）の開口の反対側で鋭角に公差するような位置に設けたことを特徴とする、段落００１３に記載の目皿部材である。
【００１５】
請求項８に記載の本発明は、上記目皿部材において、接続部（６）を軸状体の軸方向に突出させ、接続部（６）の長さの合計が、平面視における軸状体の幅よりも長いことを
特徴とする段落０００９に記載の目皿部材である。
【００１６】
請求項９に記載の本発明は、上記目皿部材において、平面視接続部（６）を中心として水平方向に折り曲げることで、切り欠き部（４）を拡開させることを特徴とする、段落
０００８に記載の目皿部材である。
【００１７】
請求項１０に記載の本発明は、上記目皿部材において、拡開部（５）を、該切り欠き部（４）によって分割された目皿部材（１）同士を接続する接続部（６）、取り付け時軸
状体の周囲に配置される内周部（８）、取り付け時排水口の内周面に接する外周部（９）、接続部（６）と内周部（８）を連結する連結部（１０）、排水を通水し塵芥を捕集
する通水部（２）、接続部（６）、内周部（８）、外周部（９）、連結部（１０）、通水部（２）のいずれかからのみ突出し、他の部分に接続されないリブ片（１１）、から
構成したことを特徴とする、段落００１６に記載の目皿部材である。
【００１８】
請求項１１に記載の本発明は、目皿部材の排水口への取り付け時、平面視における切り欠き部（４）の幅が、通水部（２）の通水用の開口の幅と同等か、それ以下の幅である
ことを特徴とする、上記段落０００８乃至段落００１７のいずれか１つに記載の目皿部材である。
【００１９】
請求項１２に記載の本発明は、軸状体が排水装置の排水管であることを特徴とする、上記段落０００８乃至段落００１８のいずれか１つに記載の目皿部材である。
【００２０】
請求項１３に記載の本発明は、軸状体が遠隔操作式排水栓装置に用いられる弁体（１９）の支持軸（１９ａ）であることを特徴とする、上記段落０００８乃至段落００１８の
いずれか１つに記載の目皿部材である。
【発明の効果】
【００２１】
本発明の排水機器は、以下（１）〜（１２）の効果を奏する。
（１）請求項１に記載の本発明では、弁体の支持軸や排水装置の排水管などの軸状体の周囲に配置された、排水口の目皿部材を、切り欠き部を拡開することで軸状体から取り
外すことができる。
このため、目皿部材の清掃性が向上すると共に、目皿部材自身は単一の部材として構成できるため、部材単価も安価なものにできる。
（２）請求項２に記載の本発明では、拡開部を具体的に拡径する方法として、接続部に沿って、目皿部材の通水部の上面を折り曲げるようにして変形させることとした。これ
によって、変形の具体的な構造を明らかにする事ができる。
（３）請求項３に記載の本発明では、接続部に沿って通水部を折り曲げる場合に、更に、目皿部材の拡開時、目皿部材の通水部を弾性を利用して変形させることで、切り欠き
部の開口端を軸状体よりも幅広とした。これによって、接続部の幅が軸状体より幅狭でも、切り欠き部の幅は軸状体より幅広とすることができる。
（４）請求項４に記載の本発明では、接続部に沿って通水部を折り曲げる場合に、接続部を貫通孔の内周縁に接するように備え、貫通孔から見て、切り欠き部が接続部の延長
線と切り欠き部の延長線とが切り欠き部の開口とは反対の側で鋭角に公差するような位置に設けた。これによって、接続部の折り曲げ時切り欠き部が自然に拡開することとなり、軸
状体を容易に取り出すことができる。
（５）請求項５に記載の本発明では、接続部に沿って通水部を折り曲げる場合に、接続部を貫通孔の内周縁に接するように備え、切り欠き部を接続部に平行で、且つ貫通孔を
挟んで接続部とは対向する位置の外縁に接する位置に設けた。これによって、接続部の折り曲げ時切り欠き部の開口を軸状体の幅と同じ程度確保する事ができ、軸状体を容易
に取り出すことができる。
（６）請求項６に記載の本発明では、接続部に沿って通水部を折り曲げる場合に、拡開部を、渡り部分と、渡り部分の少なくとも両端に設けられた複数の接続部より構成した
。これによって、単に接続部の端部を単一の方向に折り曲げるだけで切り欠き部の端部を軸状体より幅広とすることができ、軸状体を容易に取り出すことができる。
（７）請求項７に記載の本発明では、渡り部分と複数の接続部を有し、接続部に沿って通水部を折り曲げる場合に、渡り部分を軸状体と同じか、それ以上の幅に構成し、更に
渡り部分の両端に設けられた接続部の延長線が平行か、または貫通孔から見てとが切り欠き部の開口の反対側で鋭角に公差するような位置に設けた。これによって、これによって、接続部の折り
曲げ時切り欠き部の開口を軸状体の幅と同じ程度、又は軸状体以上の幅に拡開することとなり、軸状体を容易に取り出すことができる。
（８）請求項８に記載の本発明では、目皿部材を、接続部に沿って通水部を折り曲げる場合に、更に、軸状部の軸方向にリブ体が突出し、リブ体の長さの合計が、拡開部の平
面視の幅よりも長くなるように構成した。これによって、平面視における接続部の幅を狭くしつつ、切り欠き部を拡径させる場合はリブ体部分を余裕を持って変形させれば良
いため、拡開による変形において部材に変形による負担の少ない構造とすることができる。
（９）請求項９に記載の本発明では、拡開部を具体的に拡径する方法として、平面視通水部同士を接続する接続部を中心として目皿部材を折り曲げることで、切り欠き部を拡
開させることとした。これによって、、軸状体を容易に取り出すことができる。
（１０）請求項１０に記載の本発明では、平面視通水部同士を接続する接続部を中心として目皿部材を折り曲げる場合に、拡開部の通水部を構築するリブ体を、フレーム部分
である接続部、内周部、外周部、連結部、通水部に対して、特定の部分にのみ接続する構造とした。このため、拡開部をひしゃげるように変形させることが可能になり、拡開
による変形において部材に変形による負担の少ない構造とすることができる。
（１１）請求項１１に記載の本発明は、目皿部材の排水口への取り付け時、平面視における切り欠き部の幅を通水部の通水用の開口の幅と同等か、それ以下の幅としたことに
よって、排水時における目皿部材の塵芥の捕集性能を切り欠き部が無い場合に匹敵する物とすることができる。本発明では、主に目皿部材をおよそ６０度から９０度程度折り
曲げ変形させることで切り欠き部を大きく開く構成を採用している。この為、変形していない状態では上記のように、切り欠き部の幅を、通水部の幅と同じ程度に狭くするこ
とが可能となっている。特にこの点は、利用される部材が大きく、その分切り欠き部を大きく拡開しなければならない浴室や洗濯機用に用いられる排水トラップにおいて好適
である。
（１２）請求項１２、請求項１３に記載の本発明では、排水装置の排水管や、遠隔操作式排水栓装置の弁体の支持軸など、軸状体の具体的な構造を明らかにする事ができる。
【実施例】
【００２２】
以下に本発明の実施例を、図面を参照しつつ説明する。
図１乃至図７に示した本発明の第一実施例は、洗濯機用の防水パンに備えられた、排水装置である排水トラップの排水口に取り付けられる目皿部材（１）に関する物である。
洗濯機用防水パン（図示せず）は、平面視長方形にして四方に壁面を設けた、合成樹脂製の槽体様の部材であって、底面には若干の勾配を備え、その勾配の最底辺となる部分
に、排水トラップを取り付ける取り付け孔を備えてなる。
排水トラップは、防水パンに取り付けられる、下水側からの臭気や害虫類の逆流を防止する部材であって、トラップ本体（１２）、フランジ部材（１３）、椀状部材（１４）
、防臭筒（１５）、軸状体である泡止め用排水管（１６）、目皿部材（１）から構成される。
トラップ本体（１２）は、有底筒状にして側面に排出口を備えてなり、また上方には内周面に雌ネジを備えた開口部を有してなる。
フランジ部材（１３）は円筒状にて上端から外周方向にフランジ部を突設した構成を備えて成り、その内部には排水口を形成する。また、フランジ部の下方の円筒部分の外周
面には、上記トラップ本体（１２）の雌ネジと螺合する雄ネジを設けてなる。排水口の内径は仕様によってまちまちではあるが、浴室用の防水パンや、本実施例のような洗濯
機用の防水パンに用いられる排水トラップでは、およそ１００ｍｍから１０２ｍｍ程度の大きさに排水口の内径が設定される場合が多い。
椀状部材（１４）は有底筒状にして上方の側面に排水の溢出口を備えて成り、排水口につり下げるような形で配置される。
防臭筒（１５）は上部が下方に向かって縮径するような勾配を備え、下部は単純な円筒を成す略円筒状の部材で、施工時には上端が椀状部材（１４）の更に上方位置で排水口
に水密的に接続され、下端は下方の開口が溢出口よりも下方となる位置になるように椀状部材（１４）内に配置される。
泡止め用排水管（１６）は円筒状にして下端部分から更に側面方向に管体を突出させてなり、施工時には防臭筒（１５）と椀状部材（１４）の間に配置され、管体の先端は平
面視防臭筒（１５）の更に外方向に位置決めして取り付けられる。排水管の上端は、排水機器である洗濯機の配管に接続されており、洗濯機から泡混じりの排水が多量に流れ
込んでも、それらは先の管体の構造から、防臭筒（１５）の外面と、椀状部材（１４）の内面の間に排出され、防臭筒（１５）の内面側に排出されることは無いため、排水口
に泡などが逆流が生じるような事はない。その一方で、この機能を得るためには排水口を貫通するようにして、トラップ内部の構造に泡止め用排水管（１６）を配置する必要
があり、その分容易に排水管を排水トラップから着脱できない構成としている。
【００２３】
更にこの第一実施例では、以下に記載する目皿部材（１）を、排水装置である排水トラップの排水口に備えて成る。
目皿部材（１）は、適度な弾性を有する硬質樹脂であるポリプロピレンよって一体に構成されてなる。
平面視における外周の形状は図４に示したように略円形であって、また内部中央には施工時前述した泡止め用排水管（１６）を貫通させる貫通孔（３）を備えて成る。また、
貫通孔（３）の中心を通過する線分上に、目皿部材（１）を分割する切り欠き部（４）を備え、更に切り欠き部（４）によって分断されたその間を、多少折り曲げても破損が
生じないように薄く成形した接続部（６）によって接続した構成である。尚、この実施例では、接続部（６）とは別に、接続部（６）の折れ曲がりを容易にするため外周部（
９）の一部に切れ込み部分（１７）を設けており、拡開部（５）は接続部（６）及びこの切れ込み部分（１７）から構成されている。接続部（６）の位置は、一端が目皿部材
（１）の外周面に接し、他端は略リング形状の内周面と外周面のほぼ中間位置に配置されている。また、Ｃ状部分の内側部分は、開口とその開口内にリブ体（１８）を備えた
構成であり、これによって排水時、開口からは排水が流れると共にリブ体（１８）によって排水から塵芥が捕捉され分離される、通水部（２）を構成してなる。
また目皿部材（１）の外周部分には凹凸が構成されてなる。排水口に取り付けられた場合、接続部（６）の弾性を利用して目皿部材（１）を一時的に縮径することで、
回転などの作業を行わなくとも排水口に嵌合取り付けを行うことができる。
【００２４】
上記の各部材は、以下のようにして、排水機器である洗濯機に施工される。
まず防水パンの取付部周縁を、フランジ部材（１３）下面とトラップ本体（１２）の開口上縁とで挟持するように取り付ける。更にトラップの排出口に下水側に繋がる床下配
管を接続して、防水パンを設置する。
その後、フランジ部材（１３）の排水口に、上方からの順で、防臭筒（１５）泡止め排水管、椀状部材（１４）、の順に配置し、更に防臭筒（１５）を排水口に水密的に接続
する。
その後、目皿部材（１）の貫通孔（３）に泡止め排水管を貫通させてから、排水口内に、目皿部材（１）の外周面の凹凸を利用して目皿部材（１）を取り付ける。最後に防水
パン上に洗濯機を設置し、洗濯機の排水を排出する洗濯機排水管を、排水トラップの泡止め排水管に接続して洗濯機の施工が完了する。
尚、目皿部材（１）の排水口への取り付け時には、平面視における切り欠き部（４）の幅が、通水部（２）の通水用の開口の幅と同じ程度の幅となっている。
【００２５】
上記のように構成した洗濯機とその排水配管において、洗濯機の使用によって洗濯機排水管から排水が生じた場合、排水は、洗濯機排水管、泡止め排水管、椀状部材（１４）
、溢出口、トラップ本体（１２）内部の順に流れ、最終的にはトラップ本体（１２）の排出口から床下配管へと排出される。
また、防止パン上に排水が生じた場合、排水は、目皿部材（１）の通水部（２）又は切り欠き部（４）、防臭筒（１５）、椀状部材（１４）、溢出口、トラップ本体（１２）
内部の順に流れ、最終的にはトラップ本体（１２）の排出口から床下配管へと排出される。
防止パン上に排水が生じた場合では、排水中に塵芥が混入していても、目皿部材（１）のリブ体（１８）によって捕捉され、排水とは分離されるため、排水トラップ内や排水
管内に大きな異物が混入し、管詰まりが発生する、といった問題を解消することができる。
【００２６】
また、長期間の使用によって目皿部材（１）の清掃を行う必要が生じた場合、
まず目皿部材（１）を接続部（６）に沿って、接続部（６）が折り目となるように折り曲げつつ、通水部（２）自身も変形させ切り欠き部（４）の開口が平面視開き角度を備
えるように拡開することで、排水装置である排水トラップを分解することなく、目皿部材（１）を泡止め排水管から取り外すことができる。
この場合に、略平面形状である通水部（２）を、平面に沿って変形させることは、通水部（２）のリブ体（１８）が筋交いの役割を果たすため困難であるが、平面に垂直な方
向に沿って変形させることは図６及び図７に示したように比較的容易である。上記のように切り欠き部（４）に沿って接続部（６）を折り曲げることで、通水部（２）を切り
欠き部（４）の開口方向が拡径するよう変形させることは比較的容易になり、目皿部材（１）を排水装置から着脱することが可能となる。その後、目皿部材（１）の清掃後に
手順を逆に行うことで、再び目皿部材（１）を泡止め排水管に取り付けすることができる。
【００２７】
次に、本発明の第二実施例を、図面を参照しつつ説明する。
図８乃至図１１に示した本発明の第二実施例は、洗濯機用の防水パンに備えられた、排水装置である排水トラップの排水口に取り付けられる目皿部材（１）に関する物であっ
て、洗濯機用防水パン、目皿部材（１）以外の排水トラップの各部材は、上記段落００２２に記載された第一実施例の各部材と同様の構成を備えてなる。
【００２８】
更にこの第二実施例では、以下に記載する目皿部材（１）を、排水装置である排水トラップの排水口に備えて成る。
目皿部材（１）は、適度な弾性を有する硬質樹脂であるポリプロピレンよって一体に構成されてなる。
平面視における外周の形状は略円形であって、また内部中央には施工時前述した円筒状の泡止め用排水管（１６）を貫通させる、平面視円形の貫通孔（３）を備えて成る。ま
た、貫通孔（３）の円に接する線分上に、貫通孔（３）から目皿部材（１）の外周まで、多少折り曲げても破損が生じないように薄く成形した接続部（６）を備える。尚、こ
の実施例では、接続部（６）とは別に、接続部（６）の折れ曲がりを容易にするため外周部（９）の一部に切れ込み部分（１７）を設けており、拡開部（５）は接続部（６）
及びこの切れ込み部分（１７）から構成されている。更に、貫通孔（３）の内周縁に接すると共に、接続部（６）の延長線とその延長線とが貫通孔（３）から見て接続部（６
）の側でおよそ４５度（即ち鋭角）に公差する線分上であって、且つ接続部（６）の対向位置に、貫通孔（３）から目皿部材（１）の外周縁まで、目皿部材（１）を切り欠く
切り欠き部（４）備えて成る。また、目皿部分の外縁部と貫通孔（３）との間には、開口とその開口内にリブ体（１８）を備えた構成であり、これによって排水時、開口から
は排水が流れると共にリブ体（１８）によって排水から塵芥が捕捉され分離される、通水部（２）を構成してなる。また目皿部材（１）の外周部分には凹凸が構成され
てなる。排水口に取り付けられた場合、接続部（６）の弾性を利用して、目皿部材（１）を一時的に縮径することで、回転などの作業を行わなくとも排水口に嵌合取り付けを
行うことができる。尚、この実施例では、目皿部材（１）の排水口への取り付け時には、平面視における切り欠き部（４）の幅が、通水部（２）の通水用の開口の幅と同じ程
度の幅となるように切り欠き部（４）が備えられている。
【００２９】
上記の各部材は、上記段落００２４に記載した第一実施例と同様の方法によって施工され、上記段落００２５と同様の方法にて使用することができる。
【００３０】
また、長期間の使用によって、目皿部材（１）の清掃を行う必要が生じた場合、まず目皿部材（１）を接続部（６）に沿って、接続部（６）が折り目となるように約９０度折
り曲げることで、図１０及び図１１に示したように切り欠き部（４）が広く拡開する。こうして、この切り欠き部（４）の拡開部分から軸状体である泡止め用排水管（
１６）を外すことができるので、排水装置である排水トラップを分解することなく、目皿部材（１）を泡止め排水管から取り外すことができる。その後、目皿部材（１）の清
掃後に手順を逆に行うことで、再び目皿部材（１）を泡止め排水管に取り付けすることができる。
【００３１】
次に、本発明の第三実施例を、図面を参照しつつ説明する。
図１２乃至図１５に示した本発明の第三実施例は、洗濯機用の防水パンに備えられた、排水装置である排水トラップの排水口に取り付けられる目皿部材（１）に関する物であ
って、洗濯機用防水パン、目皿部材（１）以外の排水トラップの各部材は、上記段落００２２に記載された第一実施例の各部材と同様の構成を備えてなる。
【００３２】
更にこの第三実施例では、以下に記載する目皿部材（１）を、排水装置である排水トラップの排水口に備えて成る。
目皿部材（１）は、適度な弾性を有する硬質樹脂であるポリプロピレンよって一体に構成されてなる。
平面視における外周の形状は略円形であって、また内部中央には施工時前述した円筒状の泡止め用排水管（１６）を貫通させる、平面視円形の貫通孔（３）を備えて成る。ま
た、貫通孔（３）の円に接する線分上に、貫通孔（３）から目皿部材（１）の外周まで、多少折り曲げても破損が生じないように薄く成形した接続部（６）を備える。尚、こ
の実施例では、接続部（６）とは別に、接続部（６）の折れ曲がりを容易にするため外周部（９）の一部に切れ込み部分（１７）を設けており、拡開部（５）は接続部（６）
及びこの切れ込み部分（１７）から構成されている。
更に、貫通孔（３）の内周縁に接すると共に、且つ貫通孔（３）を挟んで接続部（６）とは対向する位置に、接続部（６）とは平行になるように、貫通孔（３）から目皿部材
（１）の外周縁まで、目皿部材（１）を切り欠く切り欠き部（４）備えて成る。また、目皿部分の外縁部と貫通孔（３）との間には、開口とその開口内にリブ体（１８）を備
えた構成であり、これによって排水時、開口からは排水が流れると共にリブ体（１８）によって排水から塵芥が捕捉され分離される、通水部（２）を構成してなる。また目皿
部材（１）の外周部分には凹凸が構成されてなる。排水口に取り付けられた場合、接続部（６）の弾性を利用して、目皿部材（１）を一時的に縮径することで、回転な
どの作業を行わなくとも排水口に嵌合取り付けを行うことができる。尚、この実施例では、目皿部材（１）の排水口への取り付け時には、平面視における切り欠き部（４）の
幅が、通水部（２）の通水用の開口の幅と同じ程度の幅となるように切り欠き部（４）が備えられている。
【００３３】
上記の各部材は、上記段落００２４に記載した第一実施例と同様の方法によって施工され、上記段落００２５と同様の方法にて使用することができる。
【００３４】
また、長期間の使用によって、目皿部材（１）の清掃を行う必要が生じた場合、まず目皿部材（１）を接続部（６）に沿って、接続部（６）が折り目となるように約９０度折
り曲げることで、図１４及び図１５に示したように切り欠き部（４）が広く拡開する。こうして、この切り欠き部（４）の拡開部分から軸状体である泡止め用排水管（
１６）を外すことができるので、排水装置である排水トラップを分解することなく、目皿部材（１）を泡止め排水管から取り外すことができる。その後、目皿部材（１）の清
掃後に手順を逆に行うことで、再び目皿部材（１）を泡止め排水管に取り付けすることができる。
【００３５】
次に、本発明の第四実施例を、図面を参照しつつ説明する。
図１６乃至図１９に示した本発明の第四実施例は、洗濯機用の防水パンに備えられた、排水装置である排水トラップの排水口に取り付けられる目皿部材（１）に関する物であ
って、洗濯機用防水パン、目皿部材（１）以外の排水トラップの各部材は、上記段落００２２に記載された第一実施例の各部材と同様の構成を備えてなる。
【００３６】
更にこの第四実施例では、以下に記載する目皿部材（１）を、排水装置である排水トラップの排水口に備えて成る。
目皿部材（１）は、適度な弾性を有する硬質樹脂であるポリプロピレンよって一体に構成されてなる。
平面視における外周の形状は略円形であって、また内部中央には施工時前述した円筒状の泡止め用排水管（１６）を貫通させる、平面視円形の貫通孔（３）を備えて成る。
また、目皿部材（１）の外周縁を含み、且つ貫通孔（３）よりも幅広な渡り部分（７）を設け、目皿部材（１）の中心を通り、且つこの渡り部分（７）の垂線上と、渡り部分
（７）の貫通孔（３）側側面とに切り欠き部（４）を設けてなる。更に渡り部分（７）の両端に、平行にそれぞれ多少折り曲げても破損が生じないように薄く成形した接続部
（６）と、接続部（６）の折れ曲がりを容易にするため外周部（９）の一部に切れ込み部分（１７）を設けており、この実施例では、渡り部分（７）と、その両端に設けた二
つの接続部（６）及び切れ込み部分（１７）が拡開部（５）になる。また、目皿部分の外縁部と貫通孔（３）との間、及び渡り部分（７）の内部には、開口とその開口内にリ
ブ体（１８）を備えた構成であり、これによって排水時、開口からは排水が流れると共にリブ体（１８）によって排水から塵芥が捕捉され分離される、通水部（２）を構成し
てなる。また目皿部材（１）の外周部分には凹凸が構成されてなる。排水口に取り付けられた場合、接続部（６）の弾性を利用して、目皿部材（１）を一時的に縮径す
ることで、回転などの作業を行わなくとも排水口に嵌合取り付けを行うことができる。尚、この実施例では、目皿部材（１）の排水口への取り付け時には、平面視における切
り欠き部（４）の幅が、通水部（２）の通水用の開口の幅と同じ程度の幅となるように切り欠き部（４）が備えられている。
【００３７】
上記の各部材は、上記段落００２４に記載した第一実施例と同様の方法によって施工され、上記段落００２５と同様の方法にて使用することができる。
【００３８】
また、長期間の使用によって、目皿部材（１）の清掃を行う必要が生じた場合、まず目皿部材（１）を接続部（６）に沿って、２つの接続部（６）が折り目となるように約９
０度折り曲げることで、図１８及び図１９に示したように切り欠き部（４）が広く拡開する。こうして、この切り欠き部（４）の拡開部分から軸状体である泡止め用排
水管（１６）を外すことができるので、排水装置である排水トラップを分解することなく、目皿部材（１）を泡止め排水管から取り外すことができる。
その後、目皿部材（１）の清掃後に手順を逆に行うことで、再び目皿部材（１）を泡止め排水管に取り付けすることができる。
【００３９】
次に、本発明の第五実施例を、図面を参照しつつ説明する。
図２０乃至図２５に示した本発明の第五実施例は、洗濯機用の防水パンに備えられた、排水装置である排水トラップの排水口に取り付けられる目皿部材（１）に関する物であ
って、洗濯機用防水パン、目皿部材（１）以外の排水トラップの各部材は、上記段落００２２に記載された第一実施例の各部材と同様の構成を備えてなる。
【００４０】
更にこの第五実施例では、以下に記載する目皿部材（１）を、排水装置である排水トラップの排水口に備えて成る。
目皿部材（１）は、適度な弾性を有する硬質樹脂であるポリプロピレンよって一体に構成されてなる。
平面視における外周の形状は略円形であって、また内部中央には施工時前述した円筒状の泡止め用排水管（１６）を貫通させる、平面視円形の貫通孔（３）を備えて成る。
また、貫通孔（３）の中心を通過するようにして、目皿部材（１）を両断するように切り欠き部（４）が設けられており、この切り欠き部（４）によって両断された目皿部材
（１）を、この軸状体の軸方向である上方に突出した、正面視逆Ｖ字形状に形成された接続部（６）によって接続されている。尚、この実施例では、拡開部（５）は接続部（
６）のみから構成されており、拡開部（５）は接続部（６）と同意である。接続部（６）の一辺の長さはおよそ貫通孔（３）の直径と同程度であり、従ってこの実施例では、
接続の長さの合計は貫通孔（３）に収納される軸状体のおよそ２倍程度の長さになる。
また、目皿部分の外縁部と貫通孔（３）との間の内部には、開口とその開口内にリブ体（１８）を備えた構成であり、これによって排水時、開口からは排水が流れると共にリ
ブ体（１８）によって排水から塵芥が捕捉され分離される、通水部（２）を構成してなる。また目皿部材（１）の外周部分には凹凸が構成されてなる。排水口に取り付
けられた場合、接続部（６）の弾性を利用して、目皿部材（１）を一時的に縮径することで、回転などの作業を行わなくとも排水口に嵌合取り付けを行うことができる。尚、
この実施例では、目皿部材（１）の排水口への取り付け時には、平面視における切り欠き部（４）の幅が、通水部（２）の通水用の開口の幅と同じ程度の幅となるように切り
欠き部（４）が備えられている。
【００４１】
上記の各部材は、上記段落００２４に記載した第一実施例と同様の方法によって施工され、上記段落００２５と同様の方法にて使用することができる。
【００４２】
また、長期間の使用によって、目皿部材（１）の清掃を行う必要が生じた場合、図２３乃至図２５に示したように接続部（６）の逆Ｖ字状部分を、本実施例では６０度程度に
開くことで、切り欠き部（４）が貫通孔（３）の直径以上に広く拡開する。こうして、この拡開した部分から軸状体である泡止め用排水管（１６）を外すことができるので、
排水装置である排水トラップを分解することなく、目皿部材（１）を泡止め排水管から取り外すことができる。その後、目皿部材（１）の清掃後に手順を逆に行うことで、再
び目皿部材（１）を泡止め排水管に取り付けすることができる。
また本実施例では、変形に必要な角度が上記第一乃至第四実施例が９０度程度必要だったことに対し６０度程度の角度に変形させるだけで良いので、その分、変形させること
で生じる部材変形の負担が減少する。この負担は、上記接続部（６）での一辺の長さを長くすることで必要な変形の角度を狭めることができ、より一層負担を減じることがで
きる。
【００４３】
次に、本発明の第六実施例を、図面を参照しつつ説明する。
図２６乃至図２８に示した本発明の第六実施例は、洗濯機用の防水パンに備えられた、排水装置である排水トラップの排水口に取り付けられる目皿部材（１）に関する物であ
って、洗濯機用防水パン、目皿部材（１）以外の排水トラップの各部材は、上記段落００２２に記載された第一実施例の各部材と同様の構成を備えてなる。
【００４４】
更にこの第六実施例では、以下に記載する目皿部材（１）を、排水装置である排水トラップの排水口に備えて成る。
目皿部材（１）は、適度な弾性を有する硬質樹脂であるポリプロピレンよって一体に構成されてなる。
平面視における外周の形状は略円形であって、また内部中央には施工時前述した円筒状の泡止め用排水管（１６）を貫通させる、平面視円形の貫通孔（３）を備えて成る。
また、貫通孔（３）の中心を通過するようにして、目皿部材（１）を両断するように切り欠き部（４）が設けられており、この切り欠き部（４）によって両断された目皿部材
（１）を、平面視における外周の形状は略円形であって、また内部中央には施工時前述した泡止め用排水管（１６）を貫通させる貫通孔（３）を備えて成る。また、貫通孔（
３）の中心を通過する線分上に、目皿部材（１）を分割する切り欠き部（４）を備え、更に切り欠き部（４）によって分断されたその間を接続部（６）によって接続した構成
である。
このため、平面視においては、切り欠き部分が開放された、略Ｃ字形状となっている。
接続部（６）の位置は、一端が目皿部材（１）の外周面に接し、他端は略リング形状の内周面と外周面のほぼ中間位置に配置されている。
そして、平面視目皿部材（１）の中心部と接続部（６）とを結ぶ線から、円周方向にそれそれ６０度程度の角度を成す位置まで、取り付け時軸状体の周囲に配置される部分に
は円弧状にして幅４ミリメートル程度の内周部（８）を、取り付け時排水口の内周面に接する部分には円弧状にして幅４ミリメートル程度の外周部（９）を、接続部（６）の
内周側端部と内周部（８）の端部との間には、直線状に両者を連結する連結部（１０）を、それぞれ設けてなる（上記第一乃至第五実施例においては、内周部（８）は貫通孔
（３）の周囲全体を、外周部（９）は目皿部材（１）の外周部分全体を、それぞれ指し示していたが、この第六実施例に限っては、上記の説明の通り、平面視目皿部材（１）
の中心部と接続部（６）とを結ぶ線から、円周方向にそれそれ６０度程度の角度を成す位置までの部分のみを示すものとする）。
外周部（９）の一方の端部は接続部（６）に接続しており、内周部（８）及び外周部（９）の、接続部（６）側ではない端部は、開口とその開口内にリブ体（１８）を備えた
構成であり、これによって排水時、開口からは排水が流れると共にリブ体（１８）によって排水から塵芥が捕捉され分離される、通水部（２）に接続されて成る（上記第一乃
至第五実施例においては、通水部（２）は単に開口とリブ体（１８）によって排水を通水する部分を指し示していたが、この第六実施例に限っては、平面視目皿部材（１）の
中心部と接続部（６）とを結ぶ線から、円周方向にそれそれ６０度程度の角度を成す位置までの部分を超える箇所全てを示す表現である）。
尚、この第六実施例において内周部（８）及び外周部（９）を含む拡開部（５）と通水部（２）とは、内周部（８）及び外周部（９）を直接連結する部材であるリブ体（１
８）によって区分されている。図２６を基に説明すれば、平面視目皿部材（１）の中心部と接続部（６）とを結ぶ線から、円周方向にそれそれ６０度程度の角度を成す位置に
、内周部（８）及び外周部（９）を直接連結するリブ体（１８）が設けられている。接続部（６）からこのリブ体（１８）に至るまでの間には他に内周部（８）及び外周部（
９）を直接連結するリブなどは存在せず、目皿部材（１）の拡開時に、接続部（６）からこのリブ体（１８）迄は後述する拡開の為の変形に特に大きく寄与する。
また、接続部（６）、内周部（８）、外周部（９）、連結部（１０）、通水部（２）に囲まれた部分には、接続部（６）、内周部（８）、外周部（９）、連結部（１０）、通
水部（２）のいずれかからのみ突出し、他の部分に接続されないリブ片（１１）を備えて成り、通水部（２）と同様に排水を通過させつつ、排水中の塵芥を捕集して分離する
構成となっている。
尚、ここでいう「接続部（６）、内周部（８）、外周部（９）、連結部（１０）、通水部（２）のいずれかからのみ突出し、他の部分に接続されない」とは、例えば接続部（
６）に設けられたリブ片（１１）は接続部（６）のみに接続され、内周部（８）、外周部（９）、連結部（１０）、通水部（２）、または他のリブ片（１１）に接続すること
はない、という意味である。
このように、この実施例では、拡開部（５）は接続部（６）、内周部（８）、外周部（９）、連結部（１０）、及びリブ片（１１）から構成されて成る。また目皿部材（１）
の外周部分には凹凸が構成されてなる。排水口に取り付けられた場合、接続部（６）の弾性を利用して、目皿部材（１）を一時的に縮径することで、回転などの作業を
行わなくとも排水口に嵌合取り付けを行うことができる。尚、この実施例では、目皿部材（１）の排水口への取り付け時には、平面視における切り欠き部（４）の幅が、通水
部（２）の通水用の開口の幅と同じ程度の幅となるように切り欠き部（４）が備えられている。
【００４５】
上記の各部材は、上記段落００２４に記載した第一実施例と同様の方法によって施工され、上記段落００２５と同様の方法にて使用することができる。
【００４６】
また、長期間の使用によって、目皿部材（１）の清掃を行う必要が生じた場合、
図２８に示したように、平面視接続部（６）を中心として水平方向に折り曲げることで、切り欠き部（４）を拡開させることができる。具体的には、接続部（６）、内周部（
８）、外周部（９）、連結部（１０）、通水部（２）がフレームとして機能を果たし、またリブ片（１１）も自らが備えられた部分以外には接続されていないため、図  に示
したように、接続部（６）、内周部（８）、外周部（９）、連結部（１０）、通水部（２）が、ほほ平行な状態のまま、対辺に対してその間隔を狭めるように変形することが
できる。尚、以下の説明で言う「内角」とは、「接続部（６）、内周部（８）、外周部（９）、連結部（１０）、通水部（２）によって作られる略環状形状の角の、内側の角
度」
詳細には、
１．ほぼ直線状体だった接続部（６）と連結部（１０）との角では、平面視内角が減じるように折れ曲がる。
２．連結部（１０）と内周部（８）は、それらの交点部分で内角が増加するように折れ曲がる。
３．接続部（６）と外周部（９）は、それらの交点部分で内角が増加するように折れ曲がる。
４．内周部（８）と通水部（２）は、それらの交点部分で内角が増加するように折れ曲がる。
５．外周部（９）と通水部（２）は、それらの交点部分で内角が減じるように折れ曲がる。
（何れも平面視。）
この変形によって平面視目皿部材（１）が図２６の状態から、図２８の状態に変形して、平面視接続部（６）を中心として水平方向に折り曲げることが可能になる。この結果
、切り欠き部（４）が広く拡開し、この拡開した部分から軸状体である泡止め用排水管（１６）を外すことができるので、排水装置である排水トラップを分解することなく、
目皿部材（１）を泡止め排水管から取り外すことができる。その後、目皿部材（１）の清掃後に手順を逆に行うことで、再び目皿部材（１）を泡止め排水管に取り付けするこ
とができる。
【００４７】
本発明の実施例は上記のようであるが、本発明の実施例は上記に限定されるものではなく、発明の主旨を逸脱しない範囲で自由に変更が可能である。
例えば上記実施例では、軸状体は全て排水管であったが、図２９乃至図３０に示した実施例のように、遠隔操作式排水栓装置に用いられる、弁体（１９）の支持軸（１９ａ）
を軸状体としても良い（遠隔操作式排水栓装置のその他の構成は、例えば特開２００１−１５２５０５号の特許公報等において既に公知なので省略する）。
図２９乃至図３０の目皿部材（１）において採用されているのは上記第三実施例と同様の構成の目皿部材（１）で、接続部（６）を折り曲げることで、切り欠き部（４）が目
皿部材（１）の貫通孔（３）とほぼ同じ程度に拡開するため、容易に目皿部材（１）を支持軸（１９ａ）から取り外し、清掃後に再び支持軸（１９ａ）に取り付けることがで
きる。もちろん、他の実施例に採用されていた目皿部材（１）の構造を、同様に弁体（１９）の支持軸（１９ａ）に採用しても構わない。
【００４８】
また、上記第四実施例においては渡り部分（７）を貫通孔（３）より幅広で、その両端に平行に接続部（６）を設けてなるが、本発明は上記実施例に限定されるものではない
。例えば、図３１乃至図３４に示した実施例のように、渡り部分（７）を貫通孔（３）より幅狭に設け、且つ貫通孔（３）の接線上に接続部（６）を設けても良い（このとき
、両接続部（６）は、貫通孔（３）から見て切り欠き部（４）とは反対の側で鋭角に公差する）。このように構成しても、図３３及び図３４に示したように、接続部（６）を
折り曲げることで、切り欠き部（４）が貫通孔（３）の直径以上に広く拡開して、この拡開した部分から軸状体である泡止め用排水管（１６）を外すことができるので、排水
装置を分解することなく、目皿部材（１）を軸状体から取り外し、目皿部材（１）の清掃後に取り付けすることができる。もちろん、渡り部分（７）が貫通孔（３）より幅広
であれば、図３１乃至図３４の実施例以上に切り欠き部（４）を広く拡開することができるので、目皿部材（１）を軸状体から取り外し、目皿部材（１）の清掃後に取り付け
することができる。
【００４９】
また、上記第五実施例では側面視接続部（６）を逆Ｖ字形状としているが、図３５乃至図３７に示した実施例のように、逆Ｗ字型など接続部（６）の辺を複数設けるように構
成しても良い。このようにしても、全ての辺の合計が貫通孔（３）の幅よりも大きければ、切り欠き部（４）を軸状体の幅よりも広く拡開し、排水機器を分解することなく目
皿部材（１）を軸状体より取り外し、目皿部材（１）の清掃後に取り付けすることができる。この図３５乃至図３７の実施例の場合、第五実施例の目皿と比較して、接続部（
６）の合計の長さは第五実施例と同じで、全高は第五実施例の物より低い目皿とすることができる。
【００５０】
また、上記第五実施例では側面視接続部（６）を単純な逆Ｖ字形状としているが、図３８乃至図４０に示した実施例のように、逆Ｖ字の頂点に円弧を設けるように構成しても
良い。このようにすると、拡開時に変形による拡開部（５）への負担が更に減少し、破損しにくく、操作の容易な目皿部材（１）とすることができる。
【図面の簡単な説明】
【００５１】
【図１】本発明の第一実施例の目皿部材を採用した排水トラップを示す断面図である。
【図２】本発明の第一実施例の目皿部材を採用した排水トラップを示す斜視図である。
【図３】本発明の第一実施例の目皿部材を採用した排水トラップの部材構成を示す斜視図である。
【図４】第一実施例の目皿部材の平面図である。
【図５】第一実施例の目皿部材の斜視図である。
【図６】第一実施例の目皿部材の、切り欠き部拡開時の平面図である。
【図７】第一実施例の目皿部材の、切り欠き部拡開時の斜視図である。
【図８】第二実施例の目皿部材の平面図である。
【図９】第二実施例の目皿部材の斜視図である。
【図１０】第二実施例の目皿部材の、切り欠き部拡開時の平面図である。
【図１１】第二実施例の目皿部材の、切り欠き部拡開時の斜視図である。
【図１２】第三実施例の目皿部材の平面図である。
【図１３】第三実施例の目皿部材の斜視図である。
【図１４】第三実施例の目皿部材の、切り欠き部拡開時の平面図である。
【図１５】第三実施例の目皿部材の、切り欠き部拡開時の斜視図である。
【図１６】第四実施例の目皿部材の平面図である。
【図１７】第四実施例の目皿部材の斜視図である。
【図１８】第四実施例の目皿部材の、切り欠き部拡開時の平面図である。
【図１９】第四実施例の目皿部材の、切り欠き部拡開時の斜視図である。
【図２０】第五実施例の目皿部材の平面図である。
【図２１】第五実施例の目皿部材の正面図である。
【図２２】第五実施例の目皿部材の斜視図である。
【図２３】第五実施例の目皿部材の、切り欠き部拡開時の平面図である。
【図２４】第五実施例の目皿部材の、切り欠き部拡開時の正面図である。
【図２５】第五実施例の目皿部材の、切り欠き部拡開時の斜視図である。
【図２６】第六実施例の目皿部材の平面図である。
【図２７】第六実施例の目皿部材の斜視図である。
【図２８】第六一実施例の目皿部材の、切り欠き部拡開時の平面図である。
【図２９】本発明を遠隔操作式排水栓装置の弁体に採用した場合の実施例の斜視図である。
【図３０】図２９の実施例の、切り欠き部拡開時の斜視図である。
【図３１】他の実施例の目皿部材の平面図である。
【図３２】図３１の実施例の目皿部材の斜視図である。
【図３３】図３１の実施例の目皿部材の、切り欠き部拡開時の平面図である。
【図３４】図３１の実施例の目皿部材の、切り欠き部拡開時の斜視図である。
【図３５】他の実施例の目皿部材の平面図である。
【図３６】図３５の実施例の目皿部材の正面図である。
【図３７】図３５の実施例の目皿部材の斜視図である。
【図３８】他の実施例の目皿部材の平面図である。
【図３９】図３８の実施例の目皿部材の正面図である。
【図４０】図３９の実施例の目皿部材の斜視図である。
【図４１】従来の目皿部材を採用した排水トラップを示す断面図である。
【図４２】従来の目皿部材を採用した排水トラップを示す斜視図である。
【図４３】従来の目皿部材を採用した排水トラップの部材構成を示す斜視図である。
【図４４】従来の目皿部材の平面図である。
【図４５】従来の目皿部材の斜視図である。
【符号の説明】
【００５２】
１      目皿部材            ２      通水部
３      貫通孔              ４      切り欠き部
５      拡開部              ６      接続部
７      渡り部分            ８      内周部
９      外周部              １０    連結部
１１    リブ片              １２    トラップ本体
１３    フランジ部材        １４    椀状部材
１５    防臭筒              １６    泡止め用排水管
１７    切れ込み部分        １８    リブ体
１９    弁体                １９ａ  支持軸
【図１】
2008196170.tif 000003
【図２】
2008196170.tif 000004
【図３】
2008196170.tif 000005
【図４】
2008196170.tif 000006
【図５】
2008196170.tif 000007
【図６】
2008196170.tif 000008
【図７】
2008196170.tif 000009
【図８】
2008196170.tif 000010
【図９】
2008196170.tif 000011
【図１０】
2008196170.tif 000012
【図１１】
2008196170.tif 000013
【図１２】
2008196170.tif 000014
【図１３】
2008196170.tif 000015
【図１４】
2008196170.tif 000016
【図１５】
2008196170.tif 000017
【図１６】
2008196170.tif 000018
【図１７】
2008196170.tif 000019
【図１８】
2008196170.tif 000020
【図１９】
2008196170.tif 000021
【図２０】
2008196170.tif 000022
【図２１】
2008196170.tif 000023
【図２２】
2008196170.tif 000024
【図２３】
2008196170.tif 000025
【図２４】
2008196170.tif 000026
【図２５】
2008196170.tif 000027
【図２６】
2008196170.tif 000028
【図２７】
2008196170.tif 000029
【図２８】
2008196170.tif 000030
【図２９】
2008196170.tif 000031
【図３０】
2008196170.tif 000032
【図３１】
2008196170.tif 000033
【図３２】
2008196170.tif 000034
【図３３】
2008196170.tif 000035
【図３４】
2008196170.tif 000036
【図３５】
2008196170.tif 000037
【図３６】
2008196170.tif 000038
【図３７】
2008196170.tif 000039
【図３８】
2008196170.tif 000040
【図３９】
2008196170.tif 000041
【図４０】
2008196170.tif 000042
【図４１】
2008196170.tif 000043
【図４２】
2008196170.tif 000044
【図４３】
2008196170.tif 000045
【図４４】
2008196170.tif 000046
【図４５】
2008196170.tif 000047